(57)【要約】      （修正有）【課題】所定処理を実行できるか否かの条件を組み合わせることができる情報処理システム及び情報処理方法を提供する。【解決手段】機器２０は、携帯端末１０が検知されたことに基づいて、自機器の機器識別情報を含む処理情報取得要求を情報処理装置３０に送信する処理情報取得要求送信部２０５と、情報処理装置３０から処理情報を受信する処理情報受信部２０９と、処理情報を携帯端末に送信する処理情報送信部２１１とを備える。情報処理装置３０は、機器２０から、処理情報取得要求を受信する処理情報取得要求受信部３０１と、処理情報取得要求に含まれる機器識別情報に対応付けられた処理情報を取得し、送信元の機器２０に送信する処理情報送信部３０５とを備える。携帯端末１０は、機器２０から、処理情報を受信する処理情報受信部１０７と、複数の処理情報が受信された場合に実行可能となる所定の処理を行う処理部１０９とを備える。【選択図】図５
2017021604.tif 000002
【特許請求の範囲】
【請求項１】
複数の機器と、情報処理装置と、携帯端末と、を備える情報処理システムであって、
前記複数の機器それぞれは、
前記携帯端末を検知する検知部と、
前記携帯端末が検知されたことに基づいて、自機器を識別する機器識別情報を含む処理情報取得要求を前記情報処理装置に送信する処理情報取得要求送信部と、
前記情報処理装置から、前記処理情報取得要求に含まれる前記機器識別情報に応じた処理情報を受信する第１の処理情報受信部と、
前記処理情報を前記携帯端末に送信する第１の処理情報送信部と、を備え、
前記情報処理装置は、
前記複数の機器それぞれから、前記処理情報取得要求を受信する処理情報取得要求受信部と、
機器識別情報毎に互いに異なる処理情報を対応付けて記憶する記憶部から、受信された前記処理情報取得要求に含まれる前記機器識別情報に対応付けられた処理情報を取得し、前記処理情報取得要求の送信元の機器に送信する第２の処理情報送信部と、を備え、
前記携帯端末は、
前記複数の機器それぞれから、前記処理情報を受信する第２の処理情報受信部と、
前記複数の処理情報に基づいて、当該複数の処理情報が受信された場合に実行可能となる所定の処理を行う処理部と、を備える情報処理システム。
【請求項２】
前記携帯端末は、
前記携帯端末を検知した前記機器に、受信済みの最新の処理情報に基づく処理情報を識別する処理情報識別情報を含む処理情報取得依頼要求を送信する処理情報取得依頼要求送信部を更に備え、
前記複数の機器それぞれは、
前記携帯端末から前記処理情報取得依頼要求を受信する処理情報取得依頼要求受信部を更に備え、
前記処理情報取得要求は、前記処理情報取得依頼要求に含まれる処理情報識別情報を更に含み、
前記記憶部は、機器識別情報毎に互いに異なる処理情報識別情報を更に対応付けて記憶し、
前記第２の処理情報送信部は、前記記憶部から、受信された前記処理情報取得要求に含まれる前記機器識別情報及び前記処理情報識別情報に対応付けられた処理情報を取得する請求項１に記載の情報処理システム。
【請求項３】
前記第２の処理情報送信部は、受信された前記処理情報取得要求に含まれる前記機器識別情報及び前記処理情報識別情報に対応付けられた処理情報が存在しない場合、エラー情報を前記機器識別情報の送信元の機器に送信し、
前記第１の処理情報受信部は、前記情報処理装置から、前記エラー情報を受信し、
前記第１の処理情報送信部は、前記エラー情報を前記携帯端末に送信し、
前記第２の処理情報受信部は、前記機器から、前記エラー情報を受信し、
前記エラー情報が受信された場合に、エラー通知を行う通知部を更に備える請求項２に記載の情報処理システム。
【請求項４】
前記携帯端末を所持するユーザの前記複数の機器の移動順序が予め定められた順序となるように、前記記憶部において、機器識別情報毎に処理情報識別情報及び処理情報が対応付けられている請求項２又は３に記載の情報処理システム。
【請求項５】
前記受信済みの最新の処理情報に基づく処理情報は、前記受信済みの最新の処理情報、又は前記受信済みの最新の処理情報を含む１以上の処理情報により生成される処理情報である請求項２〜４のいずれか１つに記載の情報処理システム。
【請求項６】
前記処理情報は、データ及びプログラムの少なくともいずれかである請求項１〜５のいずれか１つに記載の情報処理システム。
【請求項７】
前記所定の処理は、アプリケーションにおける機能制限を解除する処理、新規アプリケーションを取得する処理、新規データを取得する処理、新規データを生成する処理、及びアプリケーションにおける所定機能を実行する処理の少なくともいずれかである請求項１〜６のいずれか１つに記載の情報処理システム。
【請求項８】
情報処理装置と、携帯端末と、を備える情報処理システムであって、
前記情報処理装置は、
複数の機器のうち前記携帯端末を検知した機器から、前記機器を識別する機器識別情報を含む処理情報取得要求を受信する要求受信部と、
機器識別情報毎に互いに異なる処理情報を対応付けて記憶する記憶部から、受信された前記処理情報取得要求に含まれる前記機器識別情報に対応付けられた処理情報を取得し、前記機器に送信する処理情報送信部と、を備え、
前記携帯端末は、
前記複数の機器それぞれから、前記処理情報を受信する処理情報受信部と、
前記複数の処理情報に基づいて、当該複数の処理情報が受信された場合に実行可能となる所定の処理を行う処理部と、を備える情報処理システム。
【請求項９】
複数の機器と、情報処理装置と、携帯端末と、を備える情報処理システムで実行される情報処理方法であって、
前記複数の機器それぞれは、
前記携帯端末を検知する検知ステップと、
前記携帯端末が検知されたことに基づいて、自機器を識別する機器識別情報を含む処理情報取得要求を前記情報処理装置に送信する要求送信ステップと、
前記情報処理装置から、前記処理情報取得要求に含まれる前記機器識別情報に応じた処理情報を受信する処理情報受信ステップと、
前記処理情報を前記携帯端末に送信する処理情報送信ステップと、を含み、
前記情報処理装置は、
前記複数の機器それぞれから、前記処理情報取得要求を受信する要求受信ステップと、
機器識別情報毎に互いに異なる処理情報を対応付けて記憶する記憶部から、受信された前記処理情報取得要求に含まれる前記機器識別情報に対応付けられた処理情報を取得し、前記処理情報取得要求の送信元の機器に送信する処理情報送信ステップと、を含み、
前記携帯端末は、
前記複数の機器それぞれから、前記処理情報を受信する処理情報受信ステップと、
前記複数の処理情報に基づいて、当該複数の処理情報が受信された場合に実行可能となる所定の処理を行う処理ステップと、を含む情報処理方法。
【請求項１０】
情報処理装置と、携帯端末と、を備える情報処理システムで実行される情報処理方法であって、
前記情報処理装置は、
複数の機器のうち前記携帯端末を検知した機器から、前記機器を識別する機器識別情報を含む処理情報取得要求を受信する要求受信ステップと、
機器識別情報毎に互いに異なる処理情報を対応付けて記憶する記憶部から、受信された前記処理情報取得要求に含まれる前記機器識別情報に対応付けられた処理情報を取得し、前記機器に送信する処理情報送信ステップと、を含み、
前記携帯端末は、
前記複数の機器それぞれから、前記処理情報を受信する処理情報受信ステップと、
前記複数の処理情報に基づいて、当該複数の処理情報が受信された場合に実行可能となる所定の処理を行う処理ステップと、を含む情報処理方法。
【発明の詳細な説明】
【技術分野】
【０００１】
本発明は、情報処理システム及び情報処理方法に関する。
【背景技術】
【０００２】
従来から、携帯端末の位置がサービスの提供条件を満たす場合に、当該携帯端末で当該サービスを実行する技術が知られている（例えば、特許文献１参照）。
【発明の概要】
【発明が解決しようとする課題】
【０００３】
しかしながら、上述したような従来技術では、携帯端末の位置に応じて、所定処理の実行の有無を制御しているに過ぎず、所定処理を実行できるか否かの条件を複雑化できない。
【０００４】
本発明は、上記事情に鑑みてなされたものであり、所定処理を実行できるか否かの条件を複雑化することができる情報処理システム及び情報処理方法を提供することを目的とする。
【課題を解決するための手段】
【０００５】
上述した課題を解決し、目的を達成するために、本発明の一態様にかかる情報処理システムは、複数の機器と、情報処理装置と、携帯端末と、を備える情報処理システムであって、前記複数の機器それぞれは、前記携帯端末を検知する検知部と、前記携帯端末が検知されたことに基づいて、自機器を識別する機器識別情報を含む処理情報取得要求を前記情報処理装置に送信する処理情報取得要求送信部と、前記情報処理装置から、前記処理情報取得要求に含まれる前記機器識別情報に応じた処理情報を受信する第１の処理情報受信部と、前記処理情報を前記携帯端末に送信する第１の処理情報送信部と、を備え、前記情報処理装置は、前記複数の機器それぞれから、前記処理情報取得要求を受信する処理情報取得要求受信部と、機器識別情報毎に互いに異なる処理情報を対応付けて記憶する記憶部から、受信された前記処理情報取得要求に含まれる前記機器識別情報に対応付けられた処理情報を取得し、前記処理情報取得要求の送信元の機器に送信する第２の処理情報送信部と、を備え、前記携帯端末は、前記複数の機器それぞれから、前記処理情報を受信する第２の処理情報受信部と、前記複数の処理情報に基づいて、当該複数の処理情報が受信された場合に実行可能となる所定の処理を行う処理部と、を備える。
【発明の効果】
【０００６】
本発明によれば、所定処理を実行できるか否かの条件を複雑化することができるという効果を奏する。
【図面の簡単な説明】
【０００７】
【図１】図１は、本実施形態の情報処理システムの構成の一例を示すブロック図である。
【図２】図２は、本実施形態の携帯端末のハードウェア構成の一例を示すブロック図である。
【図３】図３は、本実施形態の機器のハードウェア構成の一例を示すブロック図である。
【図４】図４は、本実施形態の情報処理装置のハードウェア構成の一例を示すブロック図である。
【図５】図５は、本実施形態の情報処理システムの構成の一例を示すブロック図である。
【図６】図６は、本実施形態の記憶部に記憶されている情報の一例を示す図である。
【図７】図７は、本実施形態の予め定められた順序の一例を示す図である。
【図８】図８は、本実施形態の情報処理システムで実行される処理の一例を示すシーケンス図である。
【図９】図９は、本実施形態の携帯端末で処理情報又はエラー情報が受信された際に実行される処理の一例を示すフローチャートである。
【図１０】図１０は、本実施形態の通知例を示す図である。
【図１１】図１１は、本実施形態の通知例を示す図である。
【図１２】図１２は、本実施形態の通知例を示す図である。
【図１３】図１３は、本実施形態の通知例を示す図である。
【発明を実施するための形態】
【０００８】
以下、添付図面を参照しながら、本発明にかかる情報処理システム及び情報処理方法の実施形態を詳細に説明する。
【０００９】
図１は、本実施形態の情報処理システム１の構成の一例を示すブロック図である。図１に示すように、情報処理システム１は、携帯端末１０と、機器２０−１〜２０−Ｎ（Ｎは２以上の自然数）と、情報処理装置３０と、を備える。
【００１０】
携帯端末１０と機器２０−１〜２０−Ｎそれぞれとは、無線通信可能に構成されている。本実施形態では、携帯端末１０と機器２０−１〜２０−Ｎそれぞれとは、ＮＦＣ（Near  Field  Communication）やＢｌｕｅｔｏｏｔｈ（登録商標）などの近距離無線通信で通信可能に構成されている場合を例に取り説明するが、これに限定されず、通常の無線通信で通信可能に構成されていてもよい。
【００１１】
携帯端末１０、機器２０−１〜２０−Ｎ、及び情報処理装置３０は、ネットワーク２を介して接続される。ネットワーク２は、例えば、ＬＡＮ（Local  Area  Network）やインターネットなどが挙げられる。
【００１２】
なお、以下の説明では、機器２０−１〜２０−Ｎを各々区別する必要がない場合は、単に機器２０と称する場合がある。
【００１３】
携帯端末１０は、ユーザが所持（携帯）可能な端末であり、例えば、スマートデバイス、ノートＰＣ（Personal  Computer）、及び携帯電話などが挙げられるが、これらに限定されるものではない。
【００１４】
機器２０は、例えば、印刷装置、複写機、複合機、スキャナ装置、及びファクシミリ装置等の画像形成装置、プロジェクタ、会議端末、電子黒板、サイネージ装置、カラオケ装置、電子ゲーム機、エアコン、冷蔵庫、蛍光灯、及び自販機等の各種電子機器、並びにアクセスポイントなどの無線機などが挙げられるが、これらに限定されるものではない。複合機（ＭＦＰ：Multifunction  Peripheral）は、複写機能、印刷機能、スキャナ機能、及びファクシミリ機能のうち少なくとも２つの機能を有するものである。
【００１５】
情報処理装置３０は、機器２０を介して携帯端末１０と通信し、携帯端末１０に処理情報を提供するサーバ装置であり、例えば、１台以上のコンピュータなどが挙げられるが、これらに限定されるものではない。処理情報は、例えば、データやプログラムなどが挙げられる。
【００１６】
図２は、本実施形態の携帯端末１０のハードウェア構成の一例を示すブロック図である。図２に示すように、携帯端末１０は、ＣＰＵ（Central  Processing  Unit）やＧＰＵ（Graphics  Processing  Unit）などの制御装置１１と、ＲＯＭ（Read  Only  Memory）やＲＡＭ（Random  Access  Memory）などの主記憶装置１２と、ＨＤＤ（Hard  Disk  Drive）やＳＳＤ（Solid  State  Drive）などの補助記憶装置１３と、ディスプレイなどの表示装置１４と、タッチパネルやキースイッチなどの入力装置１５と、近距離無線通信用の通信インタフェースである第１の通信装置１６と、ネットワーク２用の通信インタフェースである第２の通信装置１７と、を備えており、通常のコンピュータを利用したハードウェア構成となっている。
【００１７】
図３は、本実施形態の機器２０のハードウェア構成の一例を示すブロック図である。図３に示すように、機器２０は、ＣＰＵやＧＰＵなどの制御装置２１と、ＲＯＭやＲＡＭなどの主記憶装置２２と、ＨＤＤやＳＳＤなどの補助記憶装置２３と、ディスプレイなどの表示装置２４と、タッチパネルやキースイッチなどの入力装置２５と、近距離無線通信用の通信インタフェースである第１の通信装置２６と、ネットワーク２用の通信インタフェースである第２の通信装置２７と、を備えており、通常のコンピュータを利用したハードウェア構成となっている。
【００１８】
なお、機器２０は、上記の構成に加え、例えば、ＩＣ（Integrated  Circuit）、ＡＳＩＣ（Application  Specific  Integrated  Circuit）、及び各種センサなど機器特有のハードウェア構成を更に備えてもよい。
【００１９】
図４は、本実施形態の情報処理装置３０のハードウェア構成の一例を示すブロック図である。図４に示すように、情報処理装置３０は、ＣＰＵやＧＰＵなどの制御装置３１と、ＲＯＭやＲＡＭなどの主記憶装置３２と、ＨＤＤやＳＳＤなどの補助記憶装置３３と、ディスプレイなどの表示装置３４と、タッチパネル、マウス、及びキーボードなどの入力装置３５と、ネットワーク２用の通信インタフェースである通信装置３６と、を備えており、通常のコンピュータを利用したハードウェア構成となっている。なお、補助記憶装置３３、表示装置３４、入力装置３５、及び通信装置３６は、内蔵されていても外付けであってもどちらでもよい。
【００２０】
図５は、本実施形態の情報処理システム１の構成の一例を示すブロック図である。図１に示すように、携帯端末１０は、通信確立部１０１と、処理情報取得依頼要求送信部１０３と、記憶部１０５と、処理情報受信部１０７（第２の処理情報受信部の一例）と、処理部１０９と、通知部１１１と、を含む。
【００２１】
通信確立部１０１、処理情報取得依頼要求送信部１０３、及び処理情報受信部１０７は、例えば、制御装置１１、主記憶装置１２、及び第１の通信装置１６により実現できる。記憶部１０５は、例えば、補助記憶装置１３により実現できる。処理部１０９は、例えば、制御装置１１、主記憶装置１２、及び第２の通信装置１７により実現できる。通知部１１１は、例えば、制御装置１１及び主記憶装置１２により実現できる。
【００２２】
なお本実施形態では、通信確立部１０１、処理情報取得依頼要求送信部１０３、処理情報受信部１０７、処理部１０９、及び通知部１１１が、携帯端末１０にインストールされているアプリケーションの機能である場合を例に取り説明するが、これに限定されるものではない。
【００２３】
また図５に示すように、機器２０は、検知部２０１と、処理情報取得依頼要求受信部２０３と、処理情報取得要求送信部２０５と、記憶部２０７と、処理情報受信部２０９（第１の処理情報受信部の一例）と、処理情報送信部２１１（第１の処理情報送信部の一例）と、を含む。
【００２４】
検知部２０１、処理情報取得依頼要求受信部２０３、及び処理情報送信部２１１は、例えば、制御装置２１、主記憶装置２２、及び第１の通信装置２６により実現できる。処理情報取得要求送信部２０５及び処理情報受信部２０９は、例えば、制御装置２１、主記憶装置２２、及び第２の通信装置２７により実現できる。記憶部２０７は、例えば、主記憶装置２２や補助記憶装置２３により実現できる。
【００２５】
また図５に示すように、情報処理装置３０は、処理情報取得要求受信部３０１と、記憶部３０３と、処理情報送信部３０５（第２の処理情報送信部の一例）と、を含む。処理情報取得要求受信部３０１及び処理情報送信部３０５は、例えば、制御装置３１、主記憶装置３２、及び通信装置３６により実現できる。記憶部３０３は、例えば、補助記憶装置３３により実現できる。
【００２６】
通信確立部１０１は、近距離無線通信の確立要求を行い、近距離無線通信先（機器２０）との近距離無線通信を確立する。具体的には、通信確立部１０１は、携帯端末１０を所持するユーザによる入力装置１５からの操作入力に基づいて、近距離無線通信の確立要求を送信し、近距離無線通信先からの応答があれば、近距離無線通信先との近距離無線通信を確立する。
【００２７】
近距離無線通信の確立要求は、携帯端末１０のＩＤなど携帯端末１０を識別する携帯端末識別情報を少なくとも含む。携帯端末１０の携帯端末識別情報は、例えば、主記憶装置１２や補助記憶装置１３などに記憶されている。
【００２８】
検知部２０１は、携帯端末１０を検知する。具体的には、検知部２０１は、機器２０が携帯端末１０と近距離無線通信可能な距離に位置し、通信確立部１０１からの近距離無線通信の確立要求を受信すると、携帯端末１０を検知する。そして検知部２０１は、検知した携帯端末１０に応答し、通信確立部１０１との近距離無線通信を確立する。これにより、携帯端末１０と機器２０との間で近距離無線通信が可能となる。
【００２９】
処理情報取得依頼要求送信部１０３は、携帯端末１０を検知した機器２０に、受信済みの最新の処理情報に基づく処理情報を識別する処理情報識別情報を含む処理情報取得依頼要求を送信する。具体的には、処理情報取得依頼要求送信部１０３は、近距離無線通信が確立された機器２０に近距離無線通信で処理情報取得依頼要求を送信する。
【００３０】
処理情報は、前述の通り、例えば、データやプログラムなどであり、情報処理装置３０から携帯端末１０に送信され、記憶部１０５に記憶されている。
【００３１】
受信済みの最新の処理情報に基づく処理情報は、受信済みの最新の処理情報そのものであってもよいし、受信済みの最新の処理情報を含む１以上の処理情報により生成される処理情報であってもよい。なお、受信済みの最新の処理情報を含む１以上の処理情報により生成される処理情報は、処理部１０９により生成される。
【００３２】
また、記憶部１０５は、処理情報に、当該処理情報のＩＤなど当該処理情報を識別する処理情報識別情報、及び当該処理情報が受信又は生成された日時を示す日時情報などを対応付けて記憶する。
【００３３】
本実施形態では、処理情報取得依頼要求送信部１０３は、機器２０との近距離無線通信が確立されると、記憶部１０５から、日時情報が最新の日時を示す処理情報の処理情報識別情報を取得し、取得した処理情報識別情報を含む処理情報取得依頼要求を近距離無線通信で当該機器２０に送信する。
【００３４】
なお、情報処理装置３０から携帯端末１０に処理情報が送信されておらず、記憶部１０５に受信済みの処理情報が記憶されていない場合、処理情報取得依頼要求送信部１０３が機器２０に送信する処理情報取得依頼要求に含まれる処理情報識別情報は、処理情報無しを示すものとする。
【００３５】
処理情報取得依頼要求受信部２０３は、検知部２０１により検知された携帯端末１０から処理情報取得依頼要求を受信する。具体的には、処理情報取得依頼要求受信部２０３は、近距離無線通信が確立された携帯端末１０から近距離無線通信で処理情報取得依頼要求を受信する。
【００３６】
処理情報取得要求送信部２０５は、検知部２０１により携帯端末１０が検知されたことに基づいて、自機器（機器２０）を識別する機器識別情報を含む処理情報取得要求を情報処理装置３０に送信する。機器２０の機器識別情報は、例えば、機器２０のＩＤ、シリアルナンバー、又はＩＰアドレスなどが挙げられるが、これらに限定されるものではない。なお、機器２０の機器識別情報は、記憶部２０７に記憶されている。
【００３７】
具体的には、処理情報取得要求送信部２０５は、処理情報取得依頼要求受信部２０３により処理情報取得依頼要求が取得されると、当該処理情報取得依頼要求から処理情報識別情報を取得し、記憶部２０７から機器２０の機器識別情報を取得する。そして処理情報取得要求送信部２０５は、取得した機器２０の機器識別情報及び処理情報識別情報を含む処理情報取得要求を、ネットワーク２を介して情報処理装置３０に送信する。
【００３８】
処理情報取得要求受信部３０１は、機器２０−１〜２０−Ｎそれぞれから、処理情報取得要求を受信する。具体的には、処理情報取得要求受信部３０１は、機器２０−１〜２０−Ｎそれぞれから、ネットワーク２を介して処理情報取得要求を受信する。
【００３９】
記憶部３０３は、機器識別情報毎に互いに異なる処理情報を対応付けて記憶する。本実施形態では、記憶部３０３は、機器識別情報毎に互いに異なる処理情報識別情報を更に対応付けて記憶する。
【００４０】
なお本実施形態では、携帯端末１０を所持するユーザの機器２０−１〜２０−Ｎの移動順序が予め定められた順序となるように、機器識別情報毎に処理情報識別情報及び処理情報が対応付けられている。従って、処理情報に対応付けられている処理情報識別情報は、当該処理情報の処理情報識別情報ではなく、他の処理情報の処理情報識別情報となっている。なお、記憶部３０３において、機器識別情報、処理情報識別情報、及び処理情報が具体的にどのように対応付けられているかについては、後述する。
【００４１】
処理情報送信部３０５は、記憶部３０３から、処理情報取得要求受信部３０１により受信された処理情報取得要求に含まれる機器識別情報に対応付けられた処理情報を取得し、当該処理情報取得要求の送信元の機器２０に送信する。具体的には、処理情報送信部３０５は、記憶部３０３から、処理情報取得要求受信部３０１により受信された処理情報取得要求に含まれる機器識別情報及び処理情報識別情報に対応付けられた処理情報を取得し、当該処理情報取得要求の送信元の機器２０にネットワーク２を介して送信する。
【００４２】
なお処理情報送信部３０５は、処理情報取得要求受信部３０１により受信された処理情報取得要求に含まれる機器識別情報及び処理情報識別情報に対応付けられた処理情報が記憶部３０３に存在せず、処理情報を取得できなかった場合、エラーを示すエラー情報を当該処理情報取得要求の送信元の機器２０にネットワーク２を介して送信する。
【００４３】
処理情報受信部２０９は、情報処理装置３０から、処理情報取得要求送信部２０５により送信された処理情報取得要求に含まれる機器識別情報に応じた処理情報を受信する。具体的には、処理情報受信部２０９は、情報処理装置３０から、ネットワーク２を介して、処理情報取得要求送信部２０５により送信された処理情報取得要求に含まれる機器識別情報及び処理情報識別情報に応じた処理情報を受信する。
【００４４】
なお処理情報受信部２０９は、情報処理装置３０において、処理情報取得要求送信部２０５により送信された処理情報取得要求に含まれる機器識別情報及び処理情報識別情報に応じた処理情報が存在しない場合、情報処理装置３０から、ネットワーク２を介して、エラー情報を受信する。
【００４５】
処理情報送信部２１１は、処理情報受信部２０９により受信された処理情報を、検知部２０１により検知された携帯端末１０に送信する。具体的には、処理情報送信部２１１は、処理情報受信部２０９により受信された処理情報を、近距離無線通信が確立されている携帯端末１０に近距離無線通信で送信する。
【００４６】
なお処理情報送信部２１１は、処理情報受信部２０９によりエラー情報が受信された場合、近距離無線通信が確立されている携帯端末１０に近距離無線通信で当該エラー情報を送信する。
【００４７】
処理情報受信部１０７は、機器２０−１〜２０−Ｎそれぞれから、処理情報を受信する。具体的には、処理情報受信部１０７は、携帯端末１０を検知した機器２０から処理情報を受信する。詳細には、処理情報受信部１０７は、近距離無線通信が確立されている機器２０から近距離無線通信で処理情報を受信する。
【００４８】
なお処理情報受信部１０７は、近距離無線通信が確立されている機器２０が情報処理装置３０から処理情報ではなくエラー情報を受信している場合、当該機器２０から近距離無線通信で当該エラー情報を受信する。
【００４９】
処理部１０９は、処理情報受信部１０７により受信された複数の処理情報（機器２０−１〜２０−Ｎから受信した複数の処理情報）に基づいて、当該複数の処理情報が受信された場合に実行可能となる所定の処理を行う。
【００５０】
所定の処理は、機器２０−１〜２０−Ｎ全てから処理情報が受信された場合に実行可能となる処理であり、例えば、アプリケーションにおける機能制限を解除する処理、新規アプリケーションを取得する処理、新規データを取得する処理、新規データを生成する処理、及びアプリケーションにおける所定機能を実行する処理の少なくともいずれかなどが挙げられるが、これらに限定されるものではない。
【００５１】
なお、処理部１０９は、機器２０−１〜２０−Ｎ全てから処理情報が受信されておらず、所定の処理がまだ実行できない場合、処理情報受信部１０７により受信された処理情報を記憶部１０５に記憶しておく。この際、処理部１０９は、処理情報受信部１０７により受信された処理情報に、当該処理情報の処理情報識別情報、及び当該処理情報の日時情報などを対応付けて記憶部１０５に記憶する。
【００５２】
本実施形態では、情報処理装置３０の記憶部３０３に記憶されている処理情報、即ち、処理情報受信部１０７により受信された処理情報に、当該処理情報を識別する処理情報識別情報が含まれており、処理部１０９は、当該処理情報から当該処理情報識別情報を抽出して当該処理情報に対応付けて記憶部１０５に記憶するものとする場合を例に取り説明するが、これに限定されるものではない。
【００５３】
なお、処理部１０９は、機器２０−１〜２０−Ｎ全てから処理情報が受信される前に、受信済みの最新の処理情報を含む１以上の処理情報を用いて新たな処理情報を生成し、生成した処理情報に、当該処理情報の処理情報識別情報、及び当該処理情報の日時情報などを対応付けて記憶部１０５に記憶してもよい。
【００５４】
通知部１１１は、処理情報受信部１０７により処理情報が受信された場合に、処理情報が受信された旨の通知を行ったり、処理情報受信部１０７によりエラー情報が受信された場合に、エラー通知を行ったり、処理部１０９による所定の処理の結果の通知を行ったりする。本実施形態では、通知部１１１は、表示装置１４上でこのような通知（表示）を行うが、通知手法は、これに限定されるものではない。
【００５５】
以下、具体例を参照しながら本実施形態の情報処理システム１の動作について説明する。なお、以下では、Ｎ＝３である場合を例に取り説明するが、これに限定されるものではない。
【００５６】
図６は、本実施形態の記憶部３０３に記憶されている情報の一例を示す図である。以下では、記憶部３０３に図６に示す情報が記憶されている場合を例に取り説明するが、これに限定されるものではない。なお、機器識別情報「機器Ａ」は機器２０−１を示し、機器識別情報「機器Ｂ」は機器２０−２を示し、機器識別情報「機器Ｃ」は機器２０−３を示すものとするが、これに限定されるものではない。
【００５７】
また、図６に示す情報では、図７に示すように、携帯端末１０を所持するユーザが機器２０−１、機器２０−２、機器２０−３の順に移動しないと、各機器２０において処理情報が取得できないように設計されている。つまり、図６に示す情報では、前述の予め定められた順序が機器２０−１、機器２０−２、機器２０−３の順序となるように、機器識別情報毎に処理情報識別情報及び処理情報が対応付けられている。
【００５８】
図８は、本実施形態の情報処理システム１で実行される処理の一例を示すシーケンス図であり、図９は、本実施形態の携帯端末１０で処理情報又はエラー情報が受信された際に実行される処理の一例を示すフローチャートである。
【００５９】
始めに、図８に示すシーケンス図及び図９に示すフローチャートを参照しながら、携帯端末１０を所持するユーザが図７に示すスタートから機器２０−１に移動し、携帯端末１０を用いて機器２０−１から処理情報を取得する場合の情報処理システム１の動作を説明する。
【００６０】
まず、携帯端末１０の通信確立部１０１は、携帯端末１０を所持するユーザによる入力装置１５からの操作入力に基づいて、近距離無線通信の確立要求を機器２０−１に送信する（ステップＳ１０１）。
【００６１】
続いて、機器２０−１の検知部２０１は、携帯端末１０からの近距離無線通信の確立要求を受信すると、携帯端末１０を検知する（ステップＳ１０３）。
【００６２】
続いて、検知部２０１は、検知した携帯端末１０に応答し、通信確立部１０１と検知部２０１との間で近距離無線通信を確立する（ステップＳ１０５）。これにより、携帯端末１０と機器２０−１との間で近距離無線通信が可能となる。
【００６３】
続いて、携帯端末１０の処理情報取得依頼要求送信部１０３は、機器２０−１に近距離無線通信で処理情報取得依頼要求を送信し、機器２０−１の処理情報取得依頼要求受信部２０３は、当該処理情報取得依頼要求を受信する（ステップＳ１０７）。
【００６４】
なお、この段階では、携帯端末１０の記憶部１０５に受信済みの処理情報が記憶されていないため、処理情報取得依頼要求に含まれる処理情報識別情報は、処理情報無しを示す。
【００６５】
続いて、機器２０−１の処理情報取得要求送信部２０５は、ネットワーク２を介して処理情報取得要求を情報処理装置３０に送信し、情報処理装置３０の処理情報取得要求受信部３０１は、当該処理情報取得要求を受信する（ステップＳ１０９）。
【００６６】
なお、処理情報取得要求に含まれる機器識別情報は、機器２０−１を示す「機器Ａ」であり、処理情報識別情報は、前述の通り、処理情報無しを示す。
【００６７】
続いて、情報処理装置３０の処理情報送信部３０５は、情報処理装置３０の記憶部３０３から、処理情報取得要求に含まれる機器識別情報「機器Ａ」及び処理情報識別情報「処理情報無し」に対応付けられた処理情報「データＡ」を取得する（ステップＳ１１１）。
【００６８】
続いて、処理情報送信部３０５は、取得した処理情報「データＡ」を、ネットワーク２を介して機器２０−１に送信し、機器２０−１の処理情報受信部２０９は、当該処理情報を受信する（ステップＳ１１３）。
【００６９】
続いて、機器２０−１の処理情報送信部２１１は、処理情報受信部２０９により受信された処理情報「データＡ」を近距離無線通信で携帯端末１０に送信し、携帯端末１０の処理情報受信部１０７は、当該処理情報を受信する（ステップＳ１１５）。
【００７０】
続いて、受信された処理情報「データＡ」は、エラー情報でなく（ステップＳ２０１でＮｏ）、データであるため（ステップＳ２０５でＹｅｓ）、通知部１１１は、図１０に示すように、携帯端末１０の表示装置１４上で、「データＡ」を取得した旨の通知を行う（ステップＳ２０７）。
【００７１】
そして、処理部１０９は、受信された処理情報「データＡ」から当該「データＡ」の処理情報識別情報「Ａ」を抽出し、処理情報「データＡ」、処理情報識別情報「Ａ」、及び処理情報「データＡ」の日時情報などを対応付けて記憶部１０５に記憶する。
【００７２】
次に、図８に示すシーケンス図及び図９に示すフローチャートを参照しながら、携帯端末１０を所持するユーザが図７に示すスタートから機器２０−１に移動せずに機器２０−２に移動し、携帯端末１０を用いて機器２０−２から処理情報を取得する場合の情報処理システム１の動作を説明する。
【００７３】
まず、携帯端末１０の通信確立部１０１は、携帯端末１０を所持するユーザによる入力装置１５からの操作入力に基づいて、近距離無線通信の確立要求を機器２０−２に送信する（ステップＳ１０１）。
【００７４】
続いて、機器２０−２の検知部２０１は、携帯端末１０からの近距離無線通信の確立要求を受信すると、携帯端末１０を検知する（ステップＳ１０３）。
【００７５】
続いて、検知部２０１は、検知した携帯端末１０に応答し、通信確立部１０１と検知部２０１との間で近距離無線通信を確立する（ステップＳ１０５）。これにより、携帯端末１０と機器２０−２との間で近距離無線通信が可能となる。
【００７６】
続いて、携帯端末１０の処理情報取得依頼要求送信部１０３は、機器２０−２に近距離無線通信で処理情報取得依頼要求を送信し、機器２０−２の処理情報取得依頼要求受信部２０３は、当該処理情報取得依頼要求を受信する（ステップＳ１０７）。
【００７７】
なお、この段階では、携帯端末１０の記憶部１０５に受信済みの処理情報が記憶されていないため、処理情報取得依頼要求に含まれる処理情報識別情報は、処理情報無しを示す。
【００７８】
続いて、機器２０−２の処理情報取得要求送信部２０５は、ネットワーク２を介して処理情報取得要求を情報処理装置３０に送信し、情報処理装置３０の処理情報取得要求受信部３０１は、当該処理情報取得要求を受信する（ステップＳ１０９）。
【００７９】
なお、処理情報取得要求に含まれる機器識別情報は、機器２０−２を示す「機器Ｂ」であり、処理情報識別情報は、前述の通り、処理情報無しを示す。
【００８０】
続いて、情報処理装置３０の処理情報送信部３０５は、情報処理装置３０の記憶部３０３には、処理情報取得要求に含まれる機器識別情報「機器Ｂ」及び処理情報識別情報「処理情報無し」に対応付けられた処理情報が存在しないため、処理情報の取得に失敗する（ステップＳ１１１）。
【００８１】
続いて、処理情報送信部３０５は、処理情報の取得に失敗したため、エラー情報を、ネットワーク２を介して機器２０−２に送信し、機器２０−２の処理情報受信部２０９は、当該エラー情報を受信する（ステップＳ１１３）。
【００８２】
続いて、機器２０−２の処理情報送信部２１１は、処理情報受信部２０９により受信されたエラー情報を近距離無線通信で携帯端末１０に送信し、携帯端末１０の処理情報受信部１０７は、当該エラー情報を受信する（ステップＳ１１５）。
【００８３】
続いて、受信されたエラー情報は、エラー情報であるため（ステップＳ２０１でＹｅｓ）、通知部１１１は、図１１に示すように、携帯端末１０の表示装置１４上で、移動ルートが間違っているため処理情報の取得に失敗した旨の通知を行う（ステップＳ２０３）。
【００８４】
次に、図８に示すシーケンス図及び図９に示すフローチャートを参照しながら、携帯端末１０を所持するユーザが図７に示す機器２０−１から機器２０−２に移動し、携帯端末１０を用いて機器２０−２から処理情報を取得する場合の情報処理システム１の動作を説明する。
【００８５】
まず、携帯端末１０の通信確立部１０１は、携帯端末１０を所持するユーザによる入力装置１５からの操作入力に基づいて、近距離無線通信の確立要求を機器２０−２に送信する（ステップＳ１０１）。
【００８６】
続いて、機器２０−２の検知部２０１は、携帯端末１０からの近距離無線通信の確立要求を受信すると、携帯端末１０を検知する（ステップＳ１０３）。
【００８７】
続いて、検知部２０１は、検知した携帯端末１０に応答し、通信確立部１０１と検知部２０１との間で近距離無線通信を確立する（ステップＳ１０５）。これにより、携帯端末１０と機器２０−２との間で近距離無線通信が可能となる。
【００８８】
続いて、携帯端末１０の処理情報取得依頼要求送信部１０３は、機器２０−２に近距離無線通信で処理情報取得依頼要求を送信し、機器２０−２の処理情報取得依頼要求受信部２０３は、当該処理情報取得依頼要求を受信する（ステップＳ１０７）。
【００８９】
なお、この段階では、携帯端末１０の記憶部１０５に受信済みの処理情報として処理情報「データＡ」が記憶されているため、処理情報取得依頼要求に含まれる処理情報識別情報は、処理情報識別情報「Ａ」となる。
【００９０】
続いて、機器２０−２の処理情報取得要求送信部２０５は、ネットワーク２を介して処理情報取得要求を情報処理装置３０に送信し、情報処理装置３０の処理情報取得要求受信部３０１は、当該処理情報取得要求を受信する（ステップＳ１０９）。
【００９１】
なお、処理情報取得要求に含まれる機器識別情報は、機器２０−２を示す「機器Ｂ」であり、処理情報識別情報は、前述の通り、処理情報識別情報「Ａ」である。
【００９２】
続いて、情報処理装置３０の処理情報送信部３０５は、情報処理装置３０の記憶部３０３から、処理情報取得要求に含まれる機器識別情報「機器Ｂ」及び処理情報識別情報「Ａ」に対応付けられた処理情報「プログラムＢ」を取得する（ステップＳ１１１）。
【００９３】
続いて、処理情報取得要求送信部２０５は、取得した処理情報「プログラムＢ」を、ネットワーク２を介して機器２０−２に送信し、機器２０−２の処理情報受信部２０９は、当該処理情報を受信する（ステップＳ１１３）。
【００９４】
続いて、機器２０−２の処理情報送信部２１１は、処理情報受信部２０９により受信された処理情報「プログラムＢ」を近距離無線通信で携帯端末１０に送信し、携帯端末１０の処理情報受信部１０７は、当該処理情報を受信する（ステップＳ１１５）。
【００９５】
続いて、受信された処理情報「プログラムＢ」は、エラー情報でなく（ステップＳ２０１でＮｏ）、データでないため（ステップＳ２０５でＮｏ）、処理部１０９は、記憶部１０５から処理情報「データＡ」を取得し、取得した処理情報「データＡ」を用いて、処理情報「プログラムＢ」を実行し、処理情報「データＣ」を生成する（ステップＳ２０９）。なお、処理情報「プログラムＢ」の実行に使用される処理情報は、処理情報「プログラムＢ」で定義されており、ここでは、処理情報「データＡ」が定義されているものとする。
【００９６】
続いて、通知部１１１は、携帯端末１０の表示装置１４上で、処理情報「プログラムＢ」の実行により、処理情報「データＣ」が生成された旨の通知を行う（ステップＳ２１１）。なお、通知部１１１は、処理情報「プログラムＢ」が取得された旨を併せて通知してもよい。
【００９７】
そして、処理部１０９は、生成された処理情報「データＣ」から当該「データＣ」の処理情報識別情報「Ｃ」を抽出し、処理情報「データＣ」、処理情報識別情報「Ｃ」、及び処理情報「データＣ」の日時情報などを対応付けて記憶部１０５に記憶する。なお、処理部１０９は、受信された処理情報「プログラムＢ」に関する情報も記憶部１０５に記憶してもよい。
【００９８】
次に、図８に示すシーケンス図及び図９に示すフローチャートを参照しながら、携帯端末１０を所持するユーザが図７に示す機器２０−２から機器２０−３に移動し、携帯端末１０を用いて機器２０−３から処理情報を取得する場合の情報処理システム１の動作を説明する。
【００９９】
まず、携帯端末１０の通信確立部１０１は、携帯端末１０を所持するユーザによる入力装置１５からの操作入力に基づいて、近距離無線通信の確立要求を機器２０−３に送信する（ステップＳ１０１）。
【０１００】
続いて、機器２０−３の検知部２０１は、携帯端末１０からの近距離無線通信の確立要求を受信すると、携帯端末１０を検知する（ステップＳ１０３）。
【０１０１】
続いて、検知部２０１は、検知した携帯端末１０に応答し、通信確立部１０１と検知部２０１との間で近距離無線通信を確立する（ステップＳ１０５）。これにより、携帯端末１０と機器２０−３との間で近距離無線通信が可能となる。
【０１０２】
続いて、携帯端末１０の処理情報取得依頼要求送信部１０３は、機器２０−３に近距離無線通信で処理情報取得依頼要求を送信し、機器２０−３の処理情報取得依頼要求受信部２０３は、当該処理情報取得依頼要求を受信する（ステップＳ１０７）。
【０１０３】
なお、この段階では、携帯端末１０の記憶部１０５に受信済みの処理情報として処理情報「データＡ」及び処理情報「データＣ」が少なくとも記憶されているが、最新の処理情報（受信済みの最新の処理情報に基づく処理情報）は、日時情報より処理情報「データＣ」となるため、処理情報取得依頼要求に含まれる処理情報識別情報は、処理情報識別情報「Ｃ」となる。
【０１０４】
続いて、機器２０−３の処理情報取得要求送信部２０５は、ネットワーク２を介して処理情報取得要求を情報処理装置３０に送信し、情報処理装置３０の処理情報取得要求受信部３０１は、当該処理情報取得要求を受信する（ステップＳ１０９）。
【０１０５】
なお、処理情報取得要求に含まれる機器識別情報は、機器２０−３を示す「機器Ｃ」であり、処理情報識別情報は、前述の通り、処理情報識別情報「Ｃ」である。
【０１０６】
続いて、情報処理装置３０の処理情報送信部３０５は、情報処理装置３０の記憶部３０３から、処理情報取得要求に含まれる機器識別情報「機器Ｃ」及び処理情報識別情報「Ｃ」に対応付けられた処理情報「プログラムＤ」を取得する（ステップＳ１１１）。
【０１０７】
続いて、処理情報取得要求送信部２０５は、取得した処理情報「プログラムＤ」を、ネットワーク２を介して機器２０−３に送信し、機器２０−３の処理情報受信部２０９は、当該処理情報を受信する（ステップＳ１１３）。
【０１０８】
続いて、機器２０−３の処理情報送信部２１１は、処理情報受信部２０９により受信された処理情報「プログラムＤ」を近距離無線通信で携帯端末１０に送信し、携帯端末１０の処理情報受信部１０７は、当該処理情報を受信する（ステップＳ１１５）。
【０１０９】
続いて、受信された処理情報「プログラムＤ」は、エラー情報でなく（ステップＳ２０１でＮｏ）、データでないため（ステップＳ２０５でＮｏ）、処理部１０９は、記憶部１０５から処理情報「データＣ」を取得し、取得した処理情報「データＣ」を用いて、処理情報「プログラムＤ」を実行することで、所定の処理を実行する。なお、処理情報「プログラムＤ」の実行に使用される処理情報は、処理情報「プログラムＤ」で定義されており、ここでは、処理情報「データＣ」が定義されているものとする。
【０１１０】
ここでは、所定の処理がアプリケーションにおける機能制限を解除する処理（例えば、ロックがかかっており今まで使用できなかった機能を開放して使用できるようにする処理）であるものとするが、前述の通り、新規アプリケーションを取得する処理、新規データを取得する処理、新規データを生成する処理、又はアプリケーションにおける所定機能を実行する処理などであってもよい。なお、新規アプリケーションを取得する処理や新規データを取得する処理の場合、処理部１０９は、例えば、ネットワーク２を介して情報処理装置３０などから新規アプリケーションや新規データを取得すればよい。
【０１１１】
続いて、通知部１１１は、携帯端末１０の表示装置１４上で、処理情報「プログラムＤ」の実行により、図１２に示すように、新機能の実行が可能になった旨の通知を行う（ステップＳ２１１）。なお、通知部１１１は、処理情報「プログラムＤ」が取得された旨を併せて通知してもよい。
【０１１２】
以上のように本実施形態によれば、機器２０−１〜２０−Ｎを網羅するように移動しなければ、所定の処理が実行できないため、所定処理を実行できるか否かの条件を複雑化することができる。特に本実施形態によれば、機器２０−１〜２０−Ｎを予め定められた順序で移動しなければ、所定の処理が実行できないため、所定処理を実行できるか否かの条件をより複雑化することができる。
【０１１３】
このように本実施形態によれば、所定処理を実行できるか否かの条件を複雑化することができるため、スタンプラリーなどの遊戯性が要求されるシステムに適用できる。この場合、所定処理としては、スタンプラリー達成者のみにコンテンツの閲覧を可能とする処理（機能制限を解除する処理や新規アプリケーションを取得する処理の一例）や、スタンプラリー達成者のみにデータを配信する処理（新規データを取得する処理や新規データを生成する処理の一例）が挙げられる。
【０１１４】
また本実施形態によれば、所定処理を実行できるか否かの条件を複雑化することができるため、実行条件が複雑な所定処理であっても、所定処理の実行を自動化することができる。
【０１１５】
例えば、移動手段を飛行機での移動とする旅行ツアーなどにおいて目的地への移動中にオプションツアーへの参加を促すケースを考える。オプションツアーへ参加を申し込む場合、旅行ツアーの参加者は、旅行ツアーの主催者が提供するアプリケーションを携帯端末１０上で実行し、オプションツアーのＩＤや参加者ＩＤを入力して、オプションツアーの内容を確認し、オプションツアーへの申し込みを行うことになるが、このような操作は煩わしく、オプションツアーへの参加を躊躇させてしまう。
【０１１６】
ところで上記の場合、旅行ツアーの参加者は、空港にある旅行ツアー主催者のカウンタ、手荷物検査場、搭乗ゲートの順に移動することが予想される。このため、旅行ツアーの参加者が旅行ツアー主催者のカウンタに行くと、当該カウンタに設置された機器２０から旅行ツアーの参加者の携帯端末１０に処理情報として旅行ツアーの主催者が提供するアプリケーションを配信する。また、旅行ツアーの参加者が手荷物検査場に行くと、当該手荷物検査場に設置された機器２０から旅行ツアーの参加者の携帯端末１０に処理情報としてオプションツアーのＩＤを配信する。また、旅行ツアーの参加者が搭乗ゲートに行くと、当該搭乗ゲートに設置された機器２０から旅行ツアーの参加者の携帯端末１０に処理情報として参加者ＩＤを配信する。
【０１１７】
そして、参加者ＩＤが配信されると、図１３に示すように、アプリケーションを携帯端末１０上で実行し、オプションツアーのＩＤや参加者ＩＤが入力された画面を表示するようにすれば（所定機能を実行する処理の一例）、煩雑な操作なく、オプションツアーの内容を確認し、オプションツアーへの申し込みを行わせることが可能となる。
【０１１８】
（変形例１）
上記実施形態では、機器２０−１〜２０−Ｎの移動順序を考慮する例について説明したが、機器２０−１〜２０−Ｎの移動順序を問わずに単純に機器２０−１〜２０−Ｎを網羅すればよいようにしてもよい。
【０１１９】
この場合、記憶部３０３に処理情報識別情報を記憶させず、処理情報取得依頼要求及び処理情報取得要求に処理情報識別情報を含ませないようにすればよい。つまり、情報処理装置３０は、処理情報取得要求に含まれる機器識別情報に応じた処理情報を送信するようにすればよい。
【０１２０】
なお、記憶部３０３に処理情報識別情報を記憶させず、処理情報取得依頼要求及び処理情報取得要求に取得済みの全ての処理情報の処理情報識別情報を含ませるようにしてもよい。そして、情報処理装置３０は、処理情報取得要求に含まれる機器識別情報に応じた処理情報が処理情報取得要求に含まれる処理情報識別情報が示す処理情報でない場合に、当該処理情報を送信するようにしてもよい。このようにすれば、処理情報の重複送信を防止できる。
【０１２１】
（変形例２）
上記実施形態において、記憶部３０３は、処理情報に次の移動先の機器の機器識別情報を更に対応付け（図６に示す例であれば、処理情報「データＡ」に機器識別情報「機器Ｂ」を対応付け、処理情報「プログラムＢ」に機器識別情報「機器Ｃ」を対応付ける）、情報処理装置３０は、処理情報とともに当該機器識別情報を送信し、携帯端末１０の通知部１１１は、この機器識別情報を利用した通知を行うようにしてもよい。
【０１２２】
例えば、携帯端末１０が処理情報「データＡ」を受信した場合、通知部１１１は、「データＡ」を取得した旨に加え、次の移動先が機器識別情報「機器Ｂ」が示す機器２０−１である旨の通知を行うようにしてもよい。このようにすれば、ユーザに次の移動先を案内できる。
【０１２３】
また、処理情報に、次の移動先の機器の機器識別情報ではなく、次の移動先の機器の位置を示す位置情報を更に対応付け、情報処理装置３０は、処理情報とともに当該位置情報を送信し、携帯端末１０の通知部１１１は、この位置情報を利用した通知を行うようにしてもよい。
【０１２４】
例えば、地図アプリケーションと連動し、通知部１１１は、地図アプリケーション上で位置情報が示す位置を通知してもよい。このようにすれば、ユーザに次の移動先を詳細に案内できる。
【０１２５】
（プログラム）
上記実施形態の携帯端末１０、機器２０、及び情報処理装置３０（以下、「上記実施形態の各装置」と称する）で実行されるプログラムは、インストール可能な形式又は実行可能な形式のファイルでＣＤ−ＲＯＭ、ＣＤ−Ｒ、メモリカード、ＤＶＤ（Digital  Versatile  Disk）、フレキシブルディスク（ＦＤ）等のコンピュータで読み取り可能な記憶媒体に記憶されて提供される。
【０１２６】
また、上記実施形態の各装置で実行されるプログラムを、インターネット等のネットワークに接続されたコンピュータ上に格納し、ネットワーク経由でダウンロードさせることにより提供するようにしてもよい。また、上記実施形態の各装置で実行されるプログラムを、インターネット等のネットワーク経由で提供または配布するようにしてもよい。また、上記実施形態の各装置で実行されるプログラムを、ＲＯＭ等に予め組み込んで提供するようにしてもよい。
【０１２７】
上記実施形態の各装置で実行されるプログラムは、上述した各部をコンピュータ上で実現させるためのモジュール構成となっている。実際のハードウェアとしては、ＣＰＵがＲＯＭからプログラムをＲＡＭ上に読み出して実行することにより、上記各機能部がコンピュータ上で実現されるようになっている。
【符号の説明】
【０１２８】
１  情報処理システム
２  ネットワーク
１０  携帯端末
１１  制御装置
１２  主記憶装置
１３  補助記憶装置
１４  表示装置
１５  入力装置
１６  第１の通信装置
１７  第２の通信装置
２０−１〜２０−Ｎ（２０）  機器
２１  制御装置
２２  主記憶装置
２３  補助記憶装置
２４  表示装置
２５  入力装置
２６  第１の通信装置
２７  第２の通信装置
３０  情報処理装置
３１  制御装置
３２  主記憶装置
３３  補助記憶装置
３４  表示装置
３５  入力装置
３６  通信装置
１０１  通信確立部
１０３  処理情報取得依頼要求送信部
１０５  記憶部
１０７  処理情報受信部
１０９  処理部
１１１  通知部
２０１  検知部
２０３  処理情報取得依頼要求受信部
２０５  処理情報取得要求送信部
２０７  記憶部
２０９  処理情報受信部
２１１  処理情報送信部
３０１  処理情報取得要求受信部
３０３  記憶部
３０５  処理情報送信部
【先行技術文献】
【特許文献】
【０１２９】
【特許文献１】特開２０１４−１９９６５４号公報
【図１】
2017021604.tif 000003
【図２】
2017021604.tif 000004
【図３】
2017021604.tif 000005
【図４】
2017021604.tif 000006
【図５】
2017021604.tif 000007
【図６】
2017021604.tif 000008
【図７】
2017021604.tif 000009
【図８】
2017021604.tif 000010
【図９】
2017021604.tif 000011
【図１０】
2017021604.tif 000012
【図１１】
2017021604.tif 000013
【図１２】
2017021604.tif 000014
【図１３】
2017021604.tif 000015